(57)【特許請求の範囲】
【請求項１】
インクを噴射する記録ヘッドと、記録ヘッドのノズル部に被せられる吸引キャップと、該吸引キャップを通して前記ノズル部からインクを吸引する吸引ポンプとからなる吸引手段とを備えてなるインクジェット記録装置において、
前記吸引ポンプは、吸引口と排出口とがシリンダ側壁に適宜隔てて開口されたシリンダ内において互いに独立的に移動可能な２つのピストンを有し、当該２つのピストンを駆動して、両ピストンの間のポンプ室に発生させた負圧により吸引口からインクを吸引した後、排出口と連通させたポンプ室の容積を縮小してインクを排出口から排出し、次いで、前記排出口に連通したポンプ室の容積を増大させた後、前記２つのピストンを駆動して前記吸引及び前記排出を行うように構成したことを特徴とするインクジェット記録装置。
【請求項２】
前記吸引ポンプのシリンダの軸線を上下の傾斜方向となるように配置し、前記吸引口が前記シリンダの軸線より上側のシリンダ側壁に開口し、前記排出口がシリンダの軸線より下側のシリンダ側壁に開口するよう構成したことを特徴とする請求項１に記載のインクジェット記録装置。
【請求項３】
前記２つのピストンの軸部材を、単一のカム体に形成された対応するカム溝にそれぞれ係合させて、両ピストンを同期駆動するように構成したことを特徴とする請求項１または請求項２に記載のインクジェット記録装置。
【発明の詳細な説明】
【０００１】
【発明の属する技術分野】
本発明は、ファクシミリ装置や複写機等における被記録媒体に画像形成するためのインクジェット記録装置に係り、より詳しくは、インクジェット式の記録ヘッドのノズル部のメインテナンスを実行するメインテナンス部の構造に関するものである。
【０００２】
【従来の技術】
従来から、ファクシミリ装置や複写機等の画像形成装置において、被記録媒体としての用紙に画像を形成するための記録装置として、インクを噴射する記録ヘッドを備えたものが周知であり、この種の記録ヘッドのノズル部が使用停止中に乾燥したり、使用中に内部に気泡が発生することによりインクの吐出不良となった場合に、当該ノズル部のインク吐出状態を回復させるため、さらには、インクカートリッジを交換した際に、カートリッジ内のインクをノズル部まで円滑に導き出すため、例えば、特開平９−１４１８８５号公報等に開示されているように、被記録媒体の搬送方向と直交する方向に前記記録ヘッドを搭載したキャリッジを往復移動しながら記録するように構成する一方、前記被記録媒体への記録領域から外れたメインテナンス部には、吸引キャップとこれに導管を介して接続する吸引ポンプとからなる吸引手段と、該ノズル部の表面に付着したインク滴や汚れを清掃するためのノズル払拭手段とを設けたものが知られている。
【０００３】
そして、前記公報や、特願平８−２７６４９９号（特開平１０−１１９３１７号）等に記載の構成では、吸引ポンプは、円筒状のシリンダの壁面にはシリンダ軸線方向に沿って適宜隔てて、インクの吸引口と排出口を開口させておき、シリンダ内にて互いに独立的に移動可能な上下２つのピストンに夫々連結したピストンロッドの一端を、回転するカム体に形成されたカム溝にそれぞれ係合させて、２つのピストン間に形成されるピストン室を増大させることで負圧を発生させる。その負圧を有するピストン室を吸引キャップに連通した前記吸引口に連通させて、ノズル部側の不良インクをピストン室に吸い込み、次いで、上下２つのピストンをその間のピストン室の容積を縮小させないで、平行状に移動させて排出口に連通させた状態で、ピストン室の容積を縮小して、シリンダ内から外部（不良インク貯留部）にインクを排出させた後、再度２つのピストンを上昇させて吸引するというサイクルを実行せるように構成されていた。
【０００４】
【発明が解決しようとする課題】
ところで、前記排出口は大気に連通している不良インク貯留部に連通しているので、一旦排出口から排出された不良インクは、自重によって不良インク貯留部に流れ込む。しかしながら、排出口近傍に滞っていた不良インクは、シリンダ側壁に摺接する下側ピストンの動きと、インクの毛細管現象とが相俟って、下側ピストンより下方のシリンダ内壁面を伝って外部に漏れ出して外部を汚すという問題があった。特に、上昇する下側のピストンの上下寸法を短かく設定していると、吸引ポンプの排出行程から吸引行程に戻る時、下側のピストンの下面が排出口の高さ位置より上まで通過して、大気に連通しているシリンダと前記排出口とが連通することになり、前記シリンダの下方への漏れだし量が増大し、メインテナンス部等を汚染してしまうという問題があった。この問題を解決するため、下側のピストンの長さを長くすると、吸引ポンプが大型化し、ひいてはメインテナンス部の構造全体が大型化してしまうという問題があった。
【０００５】
本発明は、前記従来の問題を解決するためになされたものであり、吸引・排出のサイクル中で、排出口の近傍に滞った不良インクが外部に漏れ出さないようにして、メインテナンス作業を容易とするインクジェット記録装置を提供することを目的とするものである。
【０００６】
【課題を解決するための手段】
この目的を達成するため、請求項１に記載した発明のインクジェット記録装置は、インクを噴射する記録ヘッドと、記録ヘッドのノズル部に被せられる吸引キャップと、該吸引キャップを通して前記ノズル部からインクを吸引する吸引ポンプとからなる吸引手段とを備えてなるインクジェット記録装置において、前記吸引ポンプは、吸引口と排出口とがシリンダ側壁に適宜隔てて開口されたシリンダ内において互いに独立的に移動可能な２つのピストンを有し、当該２つのピストンを駆動して、両ピストンの間のポンプ室に発生させた負圧により吸引口からインクを吸引した後、排出口と連通させたポンプ室の容積を縮小してインクを排出口から排出し、次いで、前記排出口に連通したポンプ室の容積を増大させた後、前記２つのピストンを駆動して前記吸引及び前記排出を行うように構成したものである。
【０００７】
また、請求項２に記載の発明は、請求項１に記載のインクジェット記録装置において、前記吸引ポンプのシリンダの軸線を上下の傾斜方向となるように配置し、前記吸引口が前記シリンダの軸線より上側のシリンダ側壁に開口し、前記排出口がシリンダの軸線より下側のシリンダ側壁に開口するよう構成したものである。
【０００８】
そして、請求項３に記載の発明は、請求項１または請求項２に記載のインクジェット記録装置において、前記２つのピストンの軸部材を、単一のカム体に形成された対応するカム溝にそれぞれ係合させて、両ピストンを同期駆動するように構成したものである。
【０００９】
【発明の効果】
請求項１に記載の発明の構成によれば、吸引ポンプにおけるシリンダ内を移動する２つのピストンの間の空間であるポンプ室の容積を増大させることで、負圧を発生させて、そのポンプ室を吸引口に連通させると、吸引キャップで覆ったノズル部からインクを吸い出してポンプ室に収納する。このポンプ室に収納されたインクは、ポンプ室が排出口に連通した状態で、当該ポンプ室の容積を縮小させることで、排出口から外に排出できるが、その排出口の近傍には、毛細管現象により若干の排出インクが滞っている。この滞った排出インクは、吸引ポンプの次の吸引行程のときに排出口の箇所を通過するピストンの周面にて引きずられてシリンダの壁面側に戻ってポンプ室外に漏れ出すことになる。そこで、本案では、インクを排出口から排出した後に、排出口に連通したポンプ室の容積を増大させて、前記漏れ出すような排出口近傍に滞った排出インクを予め積極的にポンプ室に戻し、これにより、吸引ポンプ外へのインクの漏れ出しを防止して、インクによる汚染を無くすることができるという効果を奏するのである。
【００１０】
また、請求項２に記載の発明の構成によれば、軸線が上下傾斜状となるように配置したシリンダの壁面のうち軸線より上側のシリンダ壁面に対して吸引口が開口しているので、負圧でポンプ室内にインクを吸い込むとき、吸引口近傍のインクが自重によってもポンプ室に落ち込むように作用し、吸引口近傍にインクが滞り難くなる。他方、排出口は、前記シリンダの軸線より下側のシリンダ壁面に対して開口されているから、前記排出行程で排出口から外に排出されたインクは自重で外方向に出やすくなり、排出インクが排出口近傍に滞り難くなる。その上、請求項１に記載の発明の作用により、排出口近傍に滞った排出インクを予め積極的にポンプ室に戻から、排出インクが排出口近傍に溜まらず、シリンダ外へのインクの漏れ出しを確実に無くすることが出来るという効果を奏する。
【００１１】
さらに、請求項３に記載の発明の構成によれば、１つのカム体に形成された２つのカム溝にそれぞれのピストンの軸部材を係合させて作動させるので、当該２つのピストンの同期タイミングが確実且つ正確に設定でき、しかも、カム体が一つとなって部品点数を削減でき、製造コストも低減できるという効果を奏する。
【００１２】
【発明の実施の形態】
次に、本発明を具体化した実施形態を図面に基づいて説明する。図１は本発明を適用するインクジェット記録装置２を備えたファクシミリ装置１の斜視図、図２はファクシミリ装置１の概略側断面図、図３はキャリッジの移動手段及びメインテナンス部を示す概略平面図、図４はインクジェット記録装置の側面図、図５はメインテナンス部の平面図、図６は図５の右側の一部切欠き側面図、図７は図５の左側の一部切欠き側面図、図８は図５の VIII −VIII線矢視図、図９はカム体による吸引キャップ及びワイパー体の昇降駆動手段を示す側断面図、図１７はカム線図である。
【００１３】
ファクシミリ装置１の本体ケースは、図１及び図２に示すように、インクジェット記録装置２を収納し、且つ画像を形成するための用紙Ｐを供給するための給紙カセット３を後側の上方から装着することのできる合成樹脂製のメイン下ケース１ａと、該メイン下ケース１ａの上側を覆う合成樹脂製の上ケース１ｂとからなる。上ケース１ｂは、その前後方向の中途部から左右両外側に突出する筒軸部４（図２において片側のみ示す）を中心にして大きく上下回動できるように、メイン下ケース１ａの側部のブラケットに枢着されている。
【００１４】
そして、一方の金属製のブラケットに一端が係止され、コイル部が筒軸部４の外周に巻回され、他端が上ケース１ｂにおける金属製のシャーシ等の適宜箇所に係止された金属製の捩じりばね（図示せず）により、上ケース１ｂの上面が前方向に向かうように付勢され、通常は、図示しないフックにより、上ケース１ｂはその上面が上を向くように固定されている。
【００１５】
さらに、上ケース１ｂの上面の前寄り部位には、原稿読取部としての原稿読取ユニット５が装着され、該原稿読取ユニット５の上側を、操作パネル部６にて覆う。表面に各種ファンクションキーやテンキー等の操作キー部６ａと、前記操作キー部６ａでの入力値や、各種の指令用の文字（キャラクタ）が表示できる液晶パネル等の表示部６ｂとを備えた操作パネル部６は、その後部寄り部位の左右両側の枢支軸７を中心にして前側が大きく上下回動できるように構成されている。また、上ケース１ｂの上面の後部寄りには、前記操作パネル部６の後端に隣接して、原稿載置部９が一体的に形成され、該原稿載置部９には、搬送される原稿の左右両側縁を案内するための左右一対の原稿ガイド体１０，１０が同期して左右移動可能に装着されている。
【００１６】
なお、メイン下ケース１ａの下面は金属板等からなる底カバー板１１にて塞がれ、メイン下ケース１ａの内部空間には、図示しないが、制御基板、電源基板、電話回線を介して他の電話装置やファクシミリ装置との間で会話やファクシミリデータの送受信を可能にするためのＮＣＵ（ネットワークコントロールユニット）基板等が位置されている。さらに、メイン下ケース１ａの側部から外向きに突設した受け台１２上に、他の電話装置との会話を行うための送受話器（ハンドセット）８が載置されている。発呼用のスピーカ（図示せず）は、メイン下ケース１ａ内の右側面の後部側等に固定されている。
【００１７】
図２に示すように、原稿読取ユニット５のユニットケース５ａには、原稿載置部９の近傍に配置される原稿分離送りローラ２８ａと、横長の密着型イメージセンサ（ＣＩＳ）２９と、その搬送上流側に配置される搬送ローラ対３０と、搬送下流側に配置される搬送ローラ対３１と、前記各ローラ２８ａ，２９，３０を駆動するための駆動モータと歯車列とがフレーム内に収納された原稿搬送系駆動ユニットとが備えられている。そして、枢支軸７を中心にして前側が大きく上下回動できるように構成された操作パネル部６の下面側には、前記ユニットケース５ａの上面を覆った状態のとき、前記原稿分離送りローラ２８ａの上面に当接する分離パッド２８ｂと、前記密着型イメージセンサ２９の上面に当接する下面が白色に塗布される等した押圧板３２とが備えられており、操作パネル部６上面のキー操作等による原稿読取り指令に応じて、原稿載置部９上の原稿は、前記原稿分離送りローラ２８ａ及び分離パッド２８ｂを介して１枚ずつ分離して送られ、原稿が前記押圧板３２とＣＩＳ２９の上面との間を通過するとき、原稿の画像が読み取られるように構成されている。
【００１８】
なお、前記給紙カセット３に積層された用紙Ｐは、メイン下ケース１ａの後部内に配置された図示しないが従来から周知の構造の給紙機構としての間欠回転する回転する給紙ローラと分離パッドとによって１枚ずつ分離され、分離された用紙Ｐは、レジストローラ（図示せず）の箇所にて一旦用紙の先端の位置を整えて、搬送上流側ローラ３３にて記録ヘッド１４の下方に給送され、搬送下流側の上下対の搬送ローラ対３４にて挟持搬送される途次、印字指令に応じてインク滴を用紙Ｐの上面に吐出して画像を記録し、その後、排紙トレイ２７の箇所に排出されるように構成されている。
【００１９】
図２、図３、図４及び図５に示すように、インクジェット記録装置２におけるキャリッジ１８はその下部が左右長手のシャーシフレーム１６に装架された丸軸状のガイド軸１７に軸支され、シャーシフレーム１６の縦案内片１６ａに上部が摺接して左右移動可能に構成されている。そして、このキャリッジ１８にカラーインクジェット式の記録ヘッド１４がそのノズル部１５を下向きにして装着されている。カラー記録を実行するための記録ヘッド１４は、シアン、イエロー、マゼンタ、ブラックの各色のインクを吐出するための４つのノズル部を有し、この各記録ヘッド１４に対して供給するインクが収納された各色毎のカートリッジ１９がキャリッジ１８にそれぞれ着脱可能に装着される。
【００２０】
キャリッジ１８の送り機構は、前記ガイド軸１７と平行に延びる無端帯としてのタイミングベルト２０が、シャーシフレーム１６の一側寄りに配置された従動プーリ２１と正逆回転可能なステッピングモータ等のキャリッジ駆動モータ２２の出力軸に固定された駆動プーリ２３とに巻掛けられ、タイミングベルト２０の一箇所を前記キャリッジ１８に連結することにより、当該キャリッジ１８はガイド軸１７と平行に往復移動可能となるように構成されている。
【００２１】
次に、メインテナンス部２９と、待機位置における保存手段３５との構成の詳細について、図３、図５〜図８を参照しながら説明すると、例えば図３に示す実施例において、キャリッジ１８が右方向へ移動することにより記録領域から外れるものとし、左右長手のシャーシフレーム１６の右端部位に、メインテナンス部２９と保存手段３５とを集合させて配置するため、フレーム支持片１６ｂ，１６ｃに対して図５の平面視図に示すような合成樹脂製の集合ケース３６をビス４４にて固定する。集合ケース３６の左端側には、記録ヘッド１４のノズル部の表面に付着したインク滴を払拭するためのノズル払拭装置（ワイパ装置）３７が配置され、その右側に隣接して記録ヘッド１４のインクの不吐出もしくは吐出不良を回復させるためのパージ装置（ノズル吸引装置）３８が配置され、その右側〔パージ装置３８からさらに記録領域の反対側の待機位置（ホームポジション）〕には、記録ヘッド１４のノズル部１５の数（実施例では４つ）と同じ数の保存キャップ３９を備えた保存手段３５が配置されている。
【００２２】
即ち、前記各保存キャップ３９を支持する保存キャップ移動手段としての合成樹脂製の枠状の移動部材４０が、集合ケース３６に一体的に形成され、キャリッジ１８の移動方向と平行状に形成された丸軸４１に沿って移動可能且つその軸線回りに回動可能に装着されている。前記軟質ゴム製の各保存キャップ３９を支持する支持体４２が移動部材４０の枠内で上向き抜け不能且つ上下動可能に装着され、付勢バネ４３を介して上向きに付勢されている（図６参照）。
【００２３】
そして、枠状の移動部材４０における回動基端部４０ａには、上向きに被押圧部４５を一体的に突出形成する一方（図８、図１１（ａ）〜図１１（ｄ）参照）、キャリッジ１８の下面側には、図６及び図１１（ａ）〜図１１（ｄ）に示すように、突起部４６と規制片４７とを横向きで、且つ段違い状にて被押圧部４５に向かうように二股状に突設してあり、突起部４６と規制片４７との隙間間隔Ｌ１は被押圧部４５の幅寸法と略等しく形成され、後述の待機位置では被押圧部４５の前後縁を突起部４６と規制片４７とで挟持される構成となっている。
【００２４】
キャリッジ１８を待機位置（ホームポジション）方向（矢印Ａ方向）に移動させるとき、押圧部４６にて被押圧部４５を押すなど係合させて、移動部材４０を丸軸４１に沿って摺動移動させる。このとき、当該移動部材４０における回動基端部４０ａの下面側に下向きに突設する摺動片４８と対峙するように、集合ケース３６の箇所には方向変換手段としてのカム板４９を設ける。このカム板４９の形状は、矢印Ａ方向への移動部材４０の移動に基づいて、前記保存キャップ３９を前記キャリッジ１８の移動方向と略直交する方向に移動させて、前記待機位置では、各保存キャップ３９が前記各ノズル部１５を下側から覆ってキャッピィングするように形成されている（図６の二点鎖線状態参照）。
【００２５】
また、集合ケース３６と移動部材４０との間に付勢手段としての引張バネ５０が装架されており、矢印Ａ方向への移動部材４０の移動量が増大するにつれて、反矢印Ａ方向への復帰力が増大するように付勢されている。
キャリッジ１８における突起部４６にて被押圧部４５を矢印Ａ方向に押し始めるときには（図８の状態参照）、図１１（ａ）及び図１１（ｂ）に示すごとく、規制片４７は被押圧部４５に干渉しない。
【００２６】
図１０に示すように、さらに、カム板４９に沿って摺動片４８上側に移動すると、移動部材４０が上向き回動し、各保存キャップ３９を前記キャリッジ１８の移動方向と略直交する方向に移動させ、図６の二点鎖線で示すキャッピィング状態では、図１１（ｃ）及び図１１（ｄ）に示すごとく、規制手段としての規制片４７と前押圧部４６との間に被押圧部４５が嵌まり込む。これにより、当該待機位置にてキャリッジ１８が停止している限り、被押圧部４５、ひいては移動部材４０と、キャリッジ１８ひいては各記録ヘッド１４のノズル部１５との相対的な移動が規制され、ずれ動くことが無くなる。従って、ファクシミリ装置１を運搬するとき等で傾いても、前記各ノズル部１５から保存キャップ３９が外れることが無くなるのである。
【００２７】
なお、上記の説明から理解できるように、前記待機位置から反矢印Ａ方向にリターンして、記録領域に戻るときには、前記各ノズル部１５から保存キャップ３９が外れるように、引張ばね５０の付勢力にて移動部材４０を回動しつつ元の姿勢に戻す。また、この引張ばね５０は、摺動片４８がカム板４９を常時押圧する方向にも付勢されているので、前記丸軸４１の軸線回りに移動部材４０がふらつくこともないのである。
【００２８】
次に、ノズル払拭手段としてのノズル払拭装置（ワイパ装置）３７及び吸引手段としてのパージ装置３８の構成について説明する。記録ヘッド１４は、その使用中にノズル部１５内に気泡が発生したり、吐出面にインクの液滴が付着することにより、吐出不良を起すことがあるので、これを解消して良好な吐出状態に回復させるため、パージ装置３８では、記録ヘッド１４のノズル部１５を吸引キャップ５３にて覆い、その状態で、吸引ポンプ５４が発生させる負圧により記録ヘッド１４内の不良インクを吸引する。また、記録ヘッド１４あるいはインクカートリッジ１９を交換した際にも作動され、カートリッジ１９内のインクが記録ヘッド１４のノズル部１５まで吸い出され円滑に供給されるように機能する。吸引された不良インクは、図示しない貯留部に送られる。
【００２９】
パージ装置３８の構成についてさらに詳述すると、図５〜図１０に示すごとく、集合ケース３６の一側部（記録領域外であって近い側）に、吸引キャップ５３が収納された昇降部材５５が昇降動可能に装着されている（図９参照）。吸引キャップ５３と吸引ポンプ５４のシリンダ７１における吸引口７２とが吸引チューブ６１にて接続されている。図示しないが、被記録媒体である用紙Ｐの搬送のためのラインフイードモータを駆動源とし、駆動力切換手段を介して回転されるギヤ５７によりカム体５６が駆動される。
【００３０】
図９、図１２及び図１４に示すように、カム体５６の一側面に形成された吸引昇降カム溝５８に前記昇降部材５５の足下端の摺動部５５ａが嵌合し、カム体５６が一回転する間、（後述するように、不良インクの吸引と排出を実行する間）に、昇降部材５５が上昇して吸引キャップ５３が記録ヘッド１４のノズル部１５に密接して後、吸引キャップ５３が離れるように昇降部材５５が下降する。
【００３１】
次に、吸引ポンプ５４の構成について説明する。図６、図８、図９、図１３及び図１８（ａ）に示すように、合成樹脂製の円筒状のシリンダ７１の上下端面は大気に開放され、シリンダ７１の下半部は、前記カム体５６の他側面と接近して対峙するように半円筒状に切欠き形成され、シリンダ７１の下端は横向きに突出する軸部７０に回動不能に支持される一方、軸部７０にて前記カム体５６を回転自在に軸支すると共に、軸部７０の両端が集合ケース３６に嵌合支持されている。そして、シリンダ７１は、その軸線７１ａが、図６に示すように垂直に対して適宜傾斜するように配置されて、集合ケース３６の所定箇所に固定されている。
【００３２】
前記シリンダ７１の側壁のうち前記傾斜するシリンダ軸線７１ａより上側であって、上端寄り部位に吸引口７２が開口されている。図示しない不良インクの貯留部にパイプで接続される排出口７３は、前記傾斜するシリンダ軸線７１ａより下側であって、シリンダ７１の側壁のうち下端寄り部位に開口されている（図１３及び図１８（ａ）参照）。
【００３３】
吸引ポンプ５４における上下２つのピストン６２，６３は、それぞれ軸部材６２ｂ，６３ｂの上端部（一端部）に連結され、該各軸部材６２ｂ，６３ｂの下端（他端）係合部６２ａ，６３ａは、前記カム体５６の他側面に形成された２つのポンプカム溝５９，６０にそれぞれ嵌合している（図９、図１３参照）。
なお、上下の各ピストン６２，６３はゴム製等の弾性体により形成され、図示しないが、各ピストン６２，６３の円周面の上端縁及び下端縁にはシリンダ内壁面に強く摺接できる環状リブが一体的に形成されている。
【００３４】
図９等に示すように、ノズル払拭装置３７は、前記パージ装置３８に隣接し、且つ記録領域外にであって近い側の集合ケース３６内に配置される。ノズル払拭装置３７におけるワイパー体６４は、図１６に示すように、軟質ゴム、軟質合成樹脂材等の弾性体からなる薄板状のワイパー部６４ａを備え、このワイパー体６４を支持するワイパー昇降部材６５の下端係合部６５ａは、前記カム体５６の片面のワイパーカム溝６６（図９、図１２及び図１４参照）に嵌合し、カム体５６が一回転する間に前記吸引キャップ５３による所定のメインテナンス動作に同期して記録ヘッド１４のノズル部１５をワイパー体６４で払拭する動作と昇降動作とを実行するものである。
【００３５】
この同期動作を更に詳細に説明すると、図１７のカム線図（横軸にカム体５６の回転角度を採り、縦軸にホロワーの変位量（リフト量）を採って示す）に示すように、曲線Ｓは吸引キャップ５３の昇降状態を示し、曲線Ｗはワイパー体６４の昇降状態を示す。そして、曲線ＵＰは吸引ポンプ５４における上ピストン６２の昇降状態を示し、曲線ＬＰは吸引ポンプ５４における下ピストン６３の昇降状態を示すものである。
【００３６】
メインテナンスの開始時には吸引すべきノズルブ部１５と吸引キャップ５３とは対峙しており、カム体５６の回動始点（０度）から５７度近傍までは、吸引キャップ５３は吸引すべきノズル部１５から大きく離れた位置で静止している。そして、５７度付近から吸引キャップ５３が上昇し始め、９７度近傍で、吸引キャップ５３は所定のノズル部１５を覆い（キャッピィングし）、２２１度付近までその状態が保持され、その後下降して２８９度近傍にて元の位置に戻る。
【００３７】
一方、ワイパー体６４もカム体５６の回動始点（０度）から５７度近傍までは、ノズル部１５から大きく離れた位置で静止している。そして、吸引キャップ５３の上昇移動に同期して、５７度付近からワイパー体６４が上昇開始し、７８度付近にて上昇完了し、３１０度近傍まで上昇位置が保持され、その後下降して３３１度付近にて元の位置に戻る。記録ヘッド１４は複数（各色）のノズル部１５が一定間隔ごとに配列され、隣接するノズル部１５，１５の間は凹んでいるので、ワイパー体６４が上昇すると、そのワイパー部６４ａの先端が前記凹み部に位置することになる。
【００３８】
他方、吸引ポンプ５４における上ピストン６２と下ピストン６３とが上記曲線ＵＰ及び曲線ＬＰの如く作動する。これをさらに詳述すると、初期状態であるカム体５６の回動始点（０度）から６度付近までは、上下両ピストン６２、６３は共に下降位置にあって、上ピストン６２の上端は吸引口７２より低い位置にあり、該上ピストン６２の下端と下ピストン６３の上端との境目が排出口７３に連通している（図１８（ａ）参照）。カム体５６の回動角度の６度付近から９７度付近まで、上下両ピストン６２，６３が一体となって緩速度にて上昇し（図１８（ｂ）参照）、９７度付近から移動速度を若干速める。
【００３９】
カム体５６の回動角度が１１８度付近では、上下両ピストン６２，６３が上昇停止し、上下両ピストン６２，６３の境目が吸引口７２に連通し、且つ下ピストン６３の下端は排出口７３より高い位置になる（図１８（ｃ）参照）。カム体５６の回動角度が１２６度付近まで静止していた上下両ピストン６２，６３は一転して一体的に下降行程に移る。カム体５６の回動角度が１６９度付近まで両ピストン６２，６３が下降を続けた後、１６９度付近から１７９度付近まで一旦静止する（図１８（ｄ）参照）。この状態では、下ピストン６３の円周面にて排出口７３を塞ぎ、上ピストン６２の円周面にて吸引口７２を塞いでいる。
【００４０】
その後、カム体５６の回動角度が２３９度付近まで下ピストン６３を静止させたまま、上ピストン６２を上昇させると、上下両ピストン６２，６３の間の隙間がひらいてポンプ室７４の容積が拡大するように形成され、その内部の負圧が順次高くなる。
これにより、図１８（ａ）の状態で上ピストン６２の上側に大気中に開放された吸引口７２からシリンダ７１内に漏れ出したインクが、当該上ピストン６２の上昇にて、当該上ピストン６２の円周面とシリンダ７１の壁面との隙間にもぐり込み、その後の上ピストン６２の下降と上昇動により、上下両ピストン６２，６３の境目の負圧の発生したポンプ室７４に前記インクが引き込まれる。
【００４１】
カム体５６の回動角度が１７９度付近から２０５度付近まで、上ピストン６２が上昇するとき、当該上ピストン６２の下端が吸引口７２より高い位置に来る瞬間に（図１８（ｅ）参照）、当該吸引口７２と負圧のポンプ室７４とが連通して、急激な吸引力が発生し、吸引キャップ５３を介してノズル部１５のインクをポンプ室７４に吸い込むことができる。
【００４２】
カム体５６の回動角度が２０５度付近から２７２度付近まで、上ピストン６２が静止したままである一方、カム体５６の回動角度が２３９度付近から２７２度付近まで、下ピストン６３を下降させる。この状態では当該下ピストン６３の円周面にて排出口７３を塞いだままであるから（図１９（ｆ）参照）、ポンプ室７４の容積の拡大につれて、負圧が高まり、吸引口７２（ノズル部１５）側からのインクの吸い込み作用が一気に進み、当該ノズル部１５のインク吐出不良が回復できる。
【００４３】
カム体５６の回動角度が２７２度付近から２８２度付近までは、下ピストン６３が排出口７３を開放する方向への移動を継続する一方、上ピストン６２は吸引口７２を閉塞する方向に下降する。そして、カム体５６の回動角度が２８２度付近で、下ピストン６３の上端が排出口７３より下位置となって停止する。このとき、ポンプ室７４と排出口７３とが連通し（図１９（ｇ）参照）、上ピストン６２は、カム体５６の回動角度が３３８度付近までさらに下降しているので、ポンプ室７４の容積が縮小し、当該ポンプ室７４内に溜まった不良インクは積極的に排出口７３から図示しない不良インク貯留部に排出される。
【００４４】
図１９（ｈ）は、カム体５６の回動角度が３３８度付近から３４５度付近までの状態を示し、上下両ピストン６２，６３が最下降位置にて静止している。この状態で、ポンプ室７４からの不良インクの排出作業は終了する。
次いで、カム体５６の回動角度が３４５度付近から３５４度付近まで、下ピストン６３が若干上昇するが、３５４度付近までは下ピストン６３は排出口７３を閉塞しない。この状態で、下ピストン６３の上昇速度より早い速度で上ピストン６２が上昇し、上下両ピストン６２，６３の境目の空間（ポンプ室）を若干広げることにより、若干の負圧が発生して、排出口７３の近傍に滞っていた不良インクが再度ポンプ室７４に引き戻される（図１９（ｉ）参照）。この状態で、下ピストン６３により排出口７３を閉塞すると（カム体５６の回動角度が３５４度付近以降、６度まで（初期状態））、排出口７３の近傍には、シリンダ７１の側壁に繋がるような不良インクが存在しなくなる。その結果、次の下ピストン６３の上昇行程時に（図１８（ａ）から図１８（ｂ）参照）、下ピストン６３の円周面がシリンダ側壁を摺接しても、また、排出口７３が下ピストン６３の下端側で開放されても、毛細管現象等で、排出口７３の近傍の不良インクがシリンダ側壁内に引き戻されることがなく、シリンダ７１の下方から外にインクが漏れ出して外部を汚染するということを確実に防止することができる。
【００４５】
他方、上述のインク吸引作用がほぼ終了した位置（カム体５３の回動角度が略２２１度付近）で、吸引キャップ５３がノズル部１５から離れるように下降し（２２１度〜２８９度）、次の吸引すべきノズル部１５が吸引キャップ５３と対峙するように、キャリッジ１８は前記反矢印Ａ方向に移動して停止する。前記キャリッジ１８の移動時にはワイパー体６４が上昇位置で保持されているので、前記吸引の終わったノズル部１５の表面をワイパー体６４にて払拭し、そのノズル部１５の表面に付着しているインク滴を払拭して清掃できるのである。
【００４６】
なお、上記の構成によれば、１つの駆動源にて、吸引キャップ５３の上昇の始動と、ワイパー体６４の上昇の始動とが同期駆動されるから、始動のタイミングがずれず、そして、吸引動作中にワイパー体６４が下降することがないから、万一、使用者が誤って電源を切り、キャリッジを移動させて記録ヘッド１４を移動させた場合には、その移動により、上昇した位置のワイパー体６４にてノズル部１５を払拭して清掃できることになり、ノズル部１５の表面に付いたインク滴を清掃できる。それ故、その直後の記録動作において印字品質が悪化することがないという効果を奏する。
【００４７】
また、１つの駆動源にて回転するカム体５６に吸引昇降カム溝５８と、ワイパーカム溝６６とが形成され、それぞれのカム溝に対応させて、吸引キャップ５３の昇降部材５５と、ワイパー体の昇降部材６５とを係合させているから、別々のカム体に２つのカム溝を形成した場合のように、２つのカム体の取付け位相がずれてしまうという不都合がなく、前記の始動タイミング等の吸引動作とワイパーの昇降動作のタイミングを確実且つ正確に設定でき、しかも、カム体５６が一つとなって、部品点数を削減でき、製造コストも低減できるという効果を奏する。
【００４８】
上記のようなインク吸引作業とワイパー（払拭）作業とは、記録ヘッド１４の複数のノズル部１５について、１箇所ずつ行われる。この場合、図７に示すように、集合ケース３６に配置されたロック手段としてのロックレバー６８は、その回動中心部６８ａの回りに回動自在であり、ロックレバー６８の凸部６８ｂが前記カム体５６の外周カム面６７（図７、図９、図１２及び図１５参照）に摺動するように、バネ６９にて付勢されており、前記キャリッジ１８がノズル部１５の配置間隔毎に停止するとき、前記カム体５６の所定の回転位相で、当該キャリッジ１８の下面に形成された凹溝状の係合部１８ａ（図６、図７参照）にロックレバー６８の先端部６８ｃが嵌まり係合して、キャリッジ１８が移動しないように規制されている。これにより、メインテナンス作業中に、使用者が誤って、電源を切り、キャリッジ１８を手で移動させメインテナンス部から離そうとしても、前記ロックレバー６８がキャリッジ１８に係合してロックしている限り、当該キャリッジ１８が移動不能であるから、ワイパー（払拭）作業をせずに記録領域に記録ヘッド１４が移動してしまうことを確実に防止することができる。
【００４９】
上記のように、前記記録領域外に設けられたノズル払拭装置３７及び吸引手段としてのパージ装置３８に隣接して、ノズル部保護手段としての前記保存キャップ３９及び保存キャップ移動手段としての移動部材４０が配置されていると、長期間インクジェット記録装置２を使用しなかったとき、各ノズル部１５にインクが詰まる等してインク吐出不良が発生していても、記録作業の開始のためキャリッジ１８を少しずつ移動させるだけで、前記待機位置に隣接する吸引箇所に記録ヘッドを記録領域方向に、各ノズル部１５の間隔毎に間欠移動させて、各ノズル部１５のインク吐出不良のメインテナンスを実行でき、迅速に記録作業に移行できるという効果を奏する。
【００５０】
また、移動部材４０が吸引手段の方向に近づき移動するとき、自動的に各保存キャップ３９が各ノズル部１５から離れるように構成されているので、キャリッジ１８を記録領域方向に移動させるのに、ロック解除のための余分の部品も必要がなく構成が簡単になるという効果を奏するものである。
なお、本発明に係るファクシミリ装置１は、操作パネル部６における各種キー操作に応じて入力される使用者からの各種指令に応じて、各種処理動作の設定、原稿読取ユニット５による原稿画像の読み取り、原稿画像の送信データ化、送信データの符号化、電話回線等の通信回線を介して他のファクシミリ装置に送信するファクシミリデータの送受信、受信データの復号化、復号化したファクシミリデータの記録ユニットでの用紙Ｐへの記録を実行するという通常のファクシミリ機能の他、原稿読取ユニット５のＣＩＳ（密着型イメージセンサ）２９による原稿読取りと記録部の各ユニットによる用紙Ｐへカラー画像形成するというコピー（複写）処理機能、図示しないパーソナルコンピュータ等の外部装置からプリンタケーブルまたは赤外線等の無線を介して伝送されたプリントデータを受けて、そのデータに応じて用紙Ｐにカラー画像を形成するプリンタ処理機能、前記原稿読取ユニット５を使って読み取った画像データを前記外部装置へ送信するというスキャナ処理機能をも備えている。
【００５１】
本発明は、インクジェット式の記録ヘッドを備えたプリンタにも適用できることはいうまでもない。
【図面の簡単な説明】
【図１】  ファクシミリ装置の斜視図である。
【図２】  ファクシミリ装置の概略側断面図である。
【図３】  インクジェット記録装置の概略平面図である。
【図４】  インクジェット記録装置の側断面図である。
【図５】  メインテナンス部及び保存手段の平面図である。
【図６】  図５のVI−VI線矢視一部切欠き側面図である。
【図７】  図５のVII −VII 線矢視一部切欠き側面図である。
【図８】  図５の VIII −VIII矢視図である。
【図９】  カム体とノズル払拭装置、吸引キャップ、吸引ポンプとの係合関係を示す要部断面図である。
【図１０】  移動部材が移動規制された状態を示すための、図８と同じ方向から見た一部切欠き図である。
【図１１】  （ａ）はキャリッジが待機位置に接近したときの、突起部と被押圧部と規制片との関係を示す作用説明図、（ｂ）は図１１（ａ）のXIｂ−XIｂ線矢視図、（ｃ）は保存キャップによるキャッピィング完了位置での、突起部と被押圧部と規制片との関係を示す作用説明図、（ｄ）は図１１（ｃ）のXIｄ−XIｄ線矢視図である。
【図１２】  カム体の断面図である。
【図１３】  図１２のＸIII −ＸIII 線矢視図である。
【図１４】  図１２のＸIV−ＸIV線矢視図である。
【図１５】  図１２のＸＶ−ＸＶ線矢視断面図である。
【図１６】  ワイパー体の斜視図である。
【図１７】  カム線図である。
【図１８】  （ａ）は初期状態の吸引ポンプの作用説明図、（ｂ）は吸引ポンプの２つのピストンの第１上昇行程の作用説明図、（ｃ）は第１上昇行程の上死点の状態を示す作用説明図、（ｄ）は第１上昇行程後の２つのピストンの下降行程を示す作用説明図である。
【図１９】（ｅ）は負圧発生行程の初期を示す作用説明図、（ｆ）は負圧発生行程後期の状態を示す作用説明図、（ｇ）は排出行程の初期を示す作用説明図、（ｈ）は排出行程の終期を示す作用説明図、（ｉ）は排出インクの戻し行程を示す作用説明図である。
【符号の説明】
２        インクジェット記録装置
１８        キャリッジ
１４        記録ヘッド
１５        ノズル部
３６        集合ケース
３７        ノズル払拭手段としてのノズル払拭装置
３８        吸引手段としてのパージ装置
５３        吸引キャップ
５４        吸引ポンプ
５５        昇降部材
５６        カム体
５８        吸引昇降カム溝
５９，６０    ポンプカム溝
６２，６３        ピストン
６２ｂ，６３ｂ        軸部材
７１        シリンダ
７２        吸引口
７３        排出口
７４        ポンプ室
【図１】
0003674325.tif 000002
【図２】
0003674325.tif 000003
【図３】
0003674325.tif 000004
【図４】
0003674325.tif 000005
【図５】
0003674325.tif 000006
【図６】
0003674325.tif 000007
【図７】
0003674325.tif 000008
【図８】
0003674325.tif 000009
【図９】
0003674325.tif 000010
【図１０】
0003674325.tif 000011
【図１１】
0003674325.tif 000012
【図１２】
0003674325.tif 000013
【図１３】
0003674325.tif 000014
【図１４】
0003674325.tif 000015
【図１５】
0003674325.tif 000016
【図１６】
0003674325.tif 000017
【図１７】
0003674325.tif 000018
【図１８】
0003674325.tif 000019
【図１９】
0003674325.tif 000020